(57)【要約】【課題】直線型階段やＬ型階段、Ｕ型階段をコスト的に有利に形成することができ、また、階段の型や位置、形態の変更をコスト的に有利に行うことができる踊り場付き階段システムを提供する。【解決手段】階下の床面４に設置され、上面を踊り場床面６とする踊り場体１と、階下の床面４と踊り場体１の床面６とを連絡する階下側階段体２と、踊り場体１の床面６と階上床面５とを連絡する階上側階段体３とが備えられ、階上側階下側の階段体２，３と踊り場体１との組み合わせで直線型階段又はＬ型階段又はＵ型階段を形成できるようになされている。また、直線、Ｌ、Ｕのいずれかの型に形成された階段の少なくとも階上側階段体３と階下側階段体２とを用い、残る他のいずれかの型の階段に変更できるようになされている。【選択図】      図１
2004183246.tif 000002
【特許請求の範囲】
【請求項１】
階下の床面に設置され、上面を踊り場床面とする踊り場体と、
階下の床面と踊り場体の床面とを連絡する階下側階段体と、
踊り場体の床面と階上床面とを連絡する階上側階段体と
が備えられ、
階上側階下側の階段体と踊り場体との組み合わせで直線型階段又はＬ型階段又はＵ型階段を形成できるようになされていることを特徴とする踊り場付き階段システム。
【請求項２】
直線、Ｌ、Ｕのいずれかの型に形成された階段の少なくとも階上側階段体と階下側階段体とを用い、残る他のいずれかの型の階段又は同じ型の階段であって形態の異なる階段に変更することができるようになされている請求項１に記載の踊り場付き階段システム。
【請求項３】
踊り場体が移動可能で、階下の床面での設置位置を変更できるようになされている請求項１又は２に記載の踊り場付き階段システム。
【請求項４】
階上側階段体と階下側階段体とが同じものからなる請求項１乃至３のいずれか一に記載の踊り場付き階段システム。
【発明の詳細な説明】
【０００１】
【発明の属する技術分野】
本発明は、踊り場付き階段システムに関する。
【０００２】
【従来の技術及び課題】
戸建て住宅などの建物において、階上と階下をつなぐ階段は、建物の屋内のレイアウトとの関係などによって直線型階段につくられたり、Ｌ型階段につくられたり、Ｕ型階段につくられたりするが、各型の階段を形成していくのにコストが高くつくという問題があった。
【０００３】
また、ライフスタイルやライフステージの変化に伴って、直線型階段をＬ型やＵ型の階段に変更したり、Ｌ形階段を直線型やＵ型階段に変更したり、Ｕ型階段を直線型やＬ型階段に変更したり、同じ型の階段であってもその位置や形態を変更したりする場合に、従来は、既設の階段を撤去して新たな階段を形成し直さなければならず、階段の変更に要するコストが高くつくという問題もあった。
【０００４】
本発明は、上記のような従来の問題点に鑑み、直線型階段やＬ型階段、Ｕ型階段をコスト的に有利に形成することができ、また、階段の型や位置、形態の変更をコスト的に有利に行うことができる踊り場付き階段システムを提供することを課題とする。
【０００５】
【課題を解決するための手段】
上記の課題は、階下の床面に設置され、上面を踊り場床面とする踊り場体と、
階下の床面と踊り場体の床面とを連絡する階下側階段体と、
踊り場体の床面と階上床面とを連絡する階上側階段体と
が備えられ、
階上側階下側の階段体と踊り場体との組み合わせで直線型階段又はＬ型階段又はＵ型階段を形成できるようになされていることを特徴とする踊り場付き階段システムによって解決される。
【０００６】
この階段システムでは、踊り場体と階下側階段体と階上側階段体との組合せで、階段を、直線型階段やＬ型階段、Ｕ型階段を形成するようになされているものであるから、直線型階段やＬ型階段、Ｕ型階段をコスト的に有利に形成することができる。
【０００７】
なお、本発明では、直線、Ｌ型、Ｕ型の階段を、同じ踊り場体と階下側階段体と階上側階段体との組合せで形成できるようになされていてもよいし、踊り場体と階下側階段体と階上側階段体の一部又は全部を異ならせて形成できるようになされていてもよい。
【０００８】
また、本発明において、「直線階段」とは、階下側階段体と階上側階段体とのなす角度が平面で見て１８０°ないしは略１８０°の階段を言い、例えばＺ型階段なども含み、「Ｕ型階段」とは階下側階段体と階上側階段体とのなす角度が平面で見て０°ないしは略０°の階段を言い、「Ｌ型階段」とは、直線階段、Ｕ型階段以外の階段をいい、例えば、階下側階段体と階上側階段体とのなす角度が平面で見て１３５°の階段なども含む。
【０００９】
上記の階段システムにおいて、直線、Ｌ、Ｕのいずれかの型に形成された階段の少なくとも階上側階段体と階下側階段体とを用い、残る他のいずれかの型の階段又は同じ型の階段であって形態の異なる階段に変更することができるようになされている場合は、少なくとも階上側階段体と階下側階段体の再利用により、ライフステージの変化などに伴う階段の型や形態の変更をコスト的に有利に行うことができる。
【００１０】
この場合に、踊り場体については、型の変更を、増設あるいは一部撤去により行うことができるようになされている場合は、踊り場体の再利用によるコスト的なメリットも享受することができるが、型の変更に伴って踊り場体は交換するようにしてもよく、その場合であっても階上側階段体と階下側階段体の再利用によるコスト的なメリットを享受することができる。
【００１１】
踊り場体が移動可能で、階下の床面での設置位置を変更できるようになされている場合は、型や形態の変更の自由度を高くすることができると共に、ライフステージの変化などに伴う階段の位置の変更をコスト的に有利に行うことができる。
【００１２】
階上側階段体と階下側階段体とが同じものからなる場合は、各側の階段体をコスト的に有利に製作することができ、階段の建築コストや変更コストを低く抑えることができる。
【００１３】
【発明の実施の形態】
次に、本発明の実施形態を図面に基づいて説明する。
【００１４】
図１乃至図４に示す第１実施形態の踊り場付き階段システムにおいて、１は踊り場体、２は階下側階段体、３は階上側階段体であり、４は階下の床面、５は階上の床面である。
【００１５】
踊り場体１は、内部を収納部１１としたボックス型のもので、階下の床面４上に設置され、その上面は階下の床面４の高さ位置と階上の床面５の高さ位置との間の中間高さ位置に位置して踊り場床面６を形成できるようになされている。この踊り場体１は、その底部に、昇降可能なキャスター１２…を備えており、キャスター１２…を下方に突出させることにより、階下の床面４上を移動させることができるようになされている。
【００１６】
階下側階段体２は、階下の床面４と踊り場体１の床面６とを連絡するもので、左右の側桁７，７間に段板８…を渡した側桁階段体からなっていて、下端側を階下の床面４への支承部とし、上端側には踊り場体１の上端の側面部にネジなどの取付け金具で脱着可能に止め付けられるプレート９が備えられている。
【００１７】
階上側階段体３は、踊り場体１の床面６と階上の床面５とを連絡するもので、下端側を踊り場体１の踊り場床面６への支承部とし、上端側には階上床部の側面部にネジなどの取付け金具で脱着可能に止め付けられるプレート９が備えられている。本実施形態では、階上側階段体３と階下側階段体２とは入れ換え可能な同じものからなっている。
【００１８】
そして、階段は、予め用意された踊り場体１と階下側階段体２と階上側階段体３とを用い、現場において、踊り場体１を階下の床面４の所定の位置に設置し、階下側階段体２の下端側を階下の床面４に支承させて上端側のプレート９を踊り場体１の上端側面部に止め付けると共に、階上側階段体３の下端側を踊り場体１の踊り場床面６に支承させて上端側のプレート９を階上床の側面部に止め付けることで形成するようになされている。
【００１９】
本実施形態の階段システムでは、上記の踊り場体１、階上側階段体３、階下側階段体２をそれぞれ一つづつ用いることで、図１に示すような直線型階段を形成したり、図３に示すようなＬ型階段を形成したりすることができ、また、踊り場体１をもう一つ追加することで、図４に示すようなＵ型階段を形成することができる。
【００２０】
このように、上記の階段システムによれば、踊り場体１と階下側階段体２と階上側階段体３とを用い、それらを組み合わせることで、階段を、図１に示すような直線型階段を形成したり、図３に示すようなＬ型階段を形成したり、図４に示すようなＵ型階段を形成したりすることができ、直線型階段やＬ型階段、Ｕ型階段をコスト的に有利に形成することができる。
【００２１】
また、ライフステージの変化などに伴って、図１に示す直線階段の位置を変更する場合には、階上側階段体３と階下側階段体２の止付けを外し、踊り場体１のキャスター１２…を下方に突出させて踊り場体１を移動し、階上側階段体３と階下側階段体２を再度止め付けることで、階段位置の変更をコスト的に有利に行うことができる。
【００２２】
また、同じくライフステージの変化などに伴って、図１に示す直線階段を図３に示すＬ型階段や図４に示すＵ型階段に変更する場合や、図３に示すＬ型階段を図１に示す直線階段や図４に示すＵ型階段に変更する場合や、図４に示すＵ型階段を図３に示すＬ型階段を図１に示す直線階段に変更する場合も、踊り場体１、階上側階段体３、階下側階段体２をそのまま再使用して、あるいは、踊り場体１のみ増やして、あるいは踊り場体１のみその数を減らして、コスト的に有利に変更を行っていくことができる。
【００２３】
更に、同じくライフステージの変化などに伴って、例えば図３に示すＬ型階段において、踊り場体１に対する階下側階段体２の止付け位置や階上床側面部に対する階上側階段体３の止付け位置を変更するで、同じ型内でその形態を変更することも可能である。
【００２４】
また、上記の実施形態では、階上側階段体３と階下側階段体２とが入れ換え可能な同じものからなっているので、各側の階段体２，３をコスト的に有利に製作することができ、階段の建築コストや変更コストをより一層低く抑えることができる。
【００２５】
図５乃至図８に示す第２実施形態の踊り場付き階段システムは、階下側階段体２と階上側階段体３とが入れ換え可能な同じ箱型階段体からなっている。更に、階上側階段体３が踊り場体１と階上床面５とを連絡できるよう、ボックス型の台１３が備えられている。
【００２６】
この踊り場付き階段システムでは、予め用意された踊り場体１と階下側階段体２と階上側階段体３と台１３とをそれぞれ一つづつ用い、現場において、踊り場体１を階下の床面４の所定の位置に設置し、階下側階段体２を踊り場体１のいずれかの側面部に沿わせるように階下の床面４に設置し、台１３を踊り場体１を残るいずれかの側面部に沿わせるように設置し、台１３の上に階上側階段体３を設置することにより、図５に示すような直線型階段を形成したり、図７に示すようなＬ型階段を形成したり、また、踊り場体１をもう一つ追加することで、図８に示すような、Ｕ型階段を形成することができ、各型の階段を、第１実施形態の場合と同様にコスト的に有利に形成することができる。
【００２７】
また、ライフステージ等の変化に伴って、階段を移動したり、型を変更したり、同じ型内で形態を変更したりするのも、踊り場体１、階上側階段体３、階下側階段体２、台１３をそのまま再使用して、あるいは、踊り場体１のみ増やして、あるいは踊り場体１のみその数を減らして、コスト的に有利に行っていくことができる。
【００２８】
図９は、箱形からなる階段体２（３）の変更例を示すもので、階段体２（３）が、複数の部品１４，１５，１５にコンパクトに分割され、それら部品１４，１５，１５を組み合わせることで階段体２（３）が形成されるようになされている。階段体２（３）についてこのような分割構造を採用することで、屋内への階段体２（３）の搬入を容易に行うことができる。しかも、階段体２（３）は、方形六面体からなるボックス体１４と、側面視Ｌ型体１５の二種類の部材を組み合わせで構成されるようになされており、階段体２（３）を構成する部材点数を少なく抑えて現場での組立容易性を確保し、かつ、構成部材の種類点数を少なく抑えてコスト低減を実現できるようになされている。
【００２９】
以上に、本発明の実施形態を示したが、本発明はこれに限られるものではなく、発明思想を逸脱しない範囲で各種の変更が可能である。例えば、上記の実施形態では、階下側階段体２と階上側階段体３とは、入れ換え可能な同じ階段体からなる場合を示しているが、入れ換えできない異なる階段体に構成されていてもよい。また、階下の床面と踊り場体の踊り場床面との階下側階段体による連絡構造、並びに、踊り場体の踊り場床面と階上床面との階上側階段体による連絡構造として、各種連絡構造が採用されてよい。また、踊り場体を移動可能にする構成例として、上記の実施形態ではキャスター１２…を備えさせた場合を示しているが、要は移動できて設置位置の変更を行いうるような構造となっていればよい。また、型間あるいは型内の変更において、踊り場体１を他の踊り場体と交換するようにしてもよい。
【００３０】
【発明の効果】
本発明の踊り場付き階段システムは、以上のとおりのものであるから、直線型階段やＬ型階段、Ｕ型階段をコスト的に有利に形成することができ、また、階段の型や位置、形態の変更をコスト的に有利に行うことができる。
【図面の簡単な説明】
【図１】第１実施形態を示すもので、図（イ）は階段システムを直線型階段に構成した場合の断面側面図、図（ロ）は同斜視図である。
【図２】図（イ）は踊り場体の斜視図、図（ロ）は階下側階段体の斜視図、図（ハ）は階上側階段体の斜視図である。
【図３】図（イ）は階段システムをＬ型階段に構成した場合の断面側面図、図（ロ）は同斜視図である。
【図４】図（イ）は階段システムをＵ型階段に構成した場合の断面側面図、図（ロ）は同斜視図である。
【図５】第２実施形態を示すもので、図（イ）は階段システムを直線型階段に構成した場合の断面側面図、図（ロ）は同斜視図である。
【図６】図（イ）は踊り場体の斜視図、図（ロ）は階下側階段体の斜視図、図（ハ）は階上側階段体の斜視図、図（ニ）は台の斜視図である。
【図７】図（イ）は階段システムをＬ型階段に構成した場合の断面側面図、図（ロ）は同斜視図である。
【図８】図（イ）は階段システムをＵ型階段に構成した場合の断面側面図、図（ロ）は同斜視図である。
【図９】図（イ）は第２実施形態において使用する階段体の変更例を示す斜視図、図（ロ）は同階段体の分解斜視図である。
【符号の説明】
１…踊り場体
２…階下側階段体
３…階上側階段体
４…階下の床面
５…階上床面
６…踊り場床面
【図１】
2004183246.tif 000003
【図２】
2004183246.tif 000004
【図３】
2004183246.tif 000005
【図４】
2004183246.tif 000006
【図５】
2004183246.tif 000007
【図６】
2004183246.tif 000008
【図７】
2004183246.tif 000009
【図８】
2004183246.tif 000010
【図９】
2004183246.tif 000011